(57)【要約】【課題】  直定規や三角定規を使って四角形や三角形、平行四辺形などの基本的な図形を描くには、頂角の角度を一定に保ちながら線を１本ずつ引かなければならないため、容易に、かつ迅速に描くことが出来ない。また、テンプレートを使って描く場合には、図形の形と大きさが予め決められているため、描きたい形の図形を任意の大きさで描くことが難しい。これらの問題を解決することを課題とする。【解決手段】  ２つの直定規の端部をハトメ等の連結手段で相対回転可能に連結し、２つの直定規の内辺のなす頂角を一定の角度で固定できるようにした。頂角を固定すれば、頂角の両辺に沿って一筆書きの要領で１回の動作で２本の線を引くことが出来る。頂角を９０度に固定すれば、正方形と長方形を、頂角を６０度に固定すれば、直角三角形、正三角形、及び標準的なひし形、平行四辺形などを容易に、かつ２回の動作だけで迅速に描くことが出来る。【選択図】  図１
0003106092.tif 000002
【実用新案登録請求の範囲】
【請求項１】
２つの直定規の端部をハトメ等の連結手段で相対回転可能に連結し、これらの直定規の端部を凹凸面にして相互に連結することにより設置面の段差をなくすと共に、凹凸面の垂直面をストッパーとして機能させ、これらの直定規の内辺がなす頂角を３０度、４５度、６０度、９０度等の一定の角度で固定できるようにした定規。
【考案の詳細な説明】
【技術分野】
【０００１】
本考案は四角形や三角形、平行四辺形などの基本的な図形を描くための定規に関するものである。
【背景技術】
【０００２】
四角形や三角形、平行四辺形などの基本的な図形を描くための従来の定規には、直定規や三角定規がある。また、図形の形と大きさが予め決められているテンプレートがある。あるいは、ベースプレートに正四角形、正三角形等の決められた形状の穴をあけ、その各辺に寸法を表示したテンプレートがある。
【特許文献１】国際公開ＷＯ９９/２６７９５号公報
【考案の開示】
【考案が解決しようとする課題】
【０００３】
直定規や三角定規を使って四角形や三角形、平行四辺形などの基本的な図形を描くには、角度を９０度や６０度など一定に保ちながら線を１本ずつ引かなければならないため迅速に描くことができない。また、テンプレートを使って図形を描くには、図形の形と大きさが予め決められているため、描きたい形の図形を任意の大きさで描くことが難しい。描きたい形の図形をいろいろな大きさで描くためには多くのテンプレートが必要であり、求めるテンプレートが存在しない場合もある。
【課題を解決するための手段】
【０００４】
２つの直定規の端部をハトメ等の連結手段で相対回転可能に連結し、これらの直定規の端部を凹凸面にして相互に連結することにより設置面の段差をなくすと共に、凹凸面の垂直面をストッパーとして機能させ、これらの直定規の内辺がなす頂角を３０度、４５度、６０度、９０度等の一定の角度で固定できるようにする。頂角を一定の角度に固定することにより、頂角をはさむ両辺に沿って一筆書きの要領で１回の動作で連続して２本の線が引けるため、一定の角度を持つ図形を容易に、かつ迅速に描くことが出来る。また、表示されている寸法の範囲内で任意の大きさの図形を描くことが出来る。この場合、頂角の角度により表示寸法のゼロ位置が異なるため、頂角の角度に応じた寸法を表示する必要がある。したがって、本定規を相対回転させてできる頂角が９０度と６０度など二つの角度を組み合わせて本定規を製作する。なお、頂角の角度は任意に設定することが出来る。
【考案の効果】
【０００５】
頂角を９０度と６０度の組み合わせで本定規を製作すると、正方形、長方形、直角三角形、正三角形、および標準的なひし形、平行四辺形などの全部で６つの図形を、任意の大きさで、容易に、かつ、２回の動作だけで迅速に描くことが出来る。また、頂角を９０度と４５度、または９０度と３０度との組み合わせで本定規を製作すると、正方形、長方形、直角三角形、二等辺三角形、および細長いひし形、平行四辺形などの図形を、任意の大きさで、容易に、かつ２回の動作だけで迅速に描くことが出来る。
【考案を実施するための最良の形態】
【０００６】
本考案を実施するための最良の形態を実施例に基づき図面を参照して説明する。図１、図２に示すように、２つの直定規１、２の端部をハトメ３等で相対回転可能に連結し、頂角αを90度（図１）と60度に固定できるようにする。図２に示すように相対回転させた場合、ゼロ位置が異なるため頂角αの角度に応じた寸法を表示する必要がある。このため、定規の一方の辺に９０度に応じた寸法を、他の辺に６０度に応じた寸法を表示する。これにより、正方形、長方形、直角三角形、正三角形の他、標準的なひし形、平行四辺形などの図形を任意の大きさで描くことが出来る。
【０００７】
図１の定規を用いて任意の大きさの正方形または長方形を描くには、まず、頂角αの両辺に沿って一筆書きの要領で求める長さで２本の線を引く。次に、定規全体を回転させながらずらし、引いた線と頂角αの両辺とで出来る形が求める正方形または長方形になるように定規の位置を決め同様に２本の線を引く。
【０００８】
図２の定規を用いて任意の大きさの直角三角形を描くには、まず、頂角αの両辺に沿って直角三角形の斜辺と底辺の長さが２対１になるように一筆書きの要領で２本の線を引く。次に、定規全体を回転させながらずらし任意の辺を用いて残りの線を引く。
【０００９】
図２の定規を用いて任意の大きさの正三角形を描くには、まず、頂角αの両辺に沿って同じ長さで２本の線を引く。次に、定規全体を回転させながらずらし任意の辺を用いて残りの線を引く。
【００１０】
図２の定規を用いて任意の大きさの平行四辺形又はひし形を描くには、まず、頂角αの両辺に沿って、求める長さで一筆書きの要領で２本の線を引く。次に、定規全体を回転させながらずらし、引いた線と頂角αの両辺とで出来る形が求める平行四辺形又はひし形になるように定規の位置を決めて同様に２本の線を引く。
【００１１】
２つの直定規の端部が相対回転できるように連結する方法としては、ハトメの他、ねじ、ボルト・ナット、軸と止め輪の組み合わせ、軸とピンの組み合わせなどの方法が考えられる。なお、蝶ナットなどで締め付け固定することにより任意の角度で使用することも出来る。
【００１２】
２つの直定規１、２を相対回転させ頂角を１８０度にすれば通常の直定規としても使用することが出来る。この場合は本定規の裏側に寸法表示する。
【００１３】
本定規は図３に示すような構造で製作することもできる。図３のような構造にした場合には図１の場合と比較すると強度的に弱くなる。
【００１４】
本定規は定規を製作する場合に通常使用する竹、木、プラスチック、アルミ、鉄鋼などの材料で製作可能である。
【００１５】
本定規は任意の大きさで製作可能である。２つの直定規１、２の幅や長さを任意にすることが出来る。
【００１６】
本定規の使用例としては、（１）児童生徒、学生が基本的な図形やグラフなどを描く際に、あるいは木工工作などの際に使用する、（２）事務所等で文字の囲み線や流れ図（フローチャート）、立体図形などを描く際に使用する、（３）工場現場でケガキ針等を用いて基本的な図形などを描く際に使用する、（４）建設現場で木材に墨付けをする際に使用するなどが考えられる。
【図面の簡単な説明】
【００１７】
【図１】実施例の定規を示し、（ａ）は側面図、（ｂ）は平面図、（ｃ）は正面図である。
【図２】図1を相対回転させて頂角αを60度に変化させた場合の平面図である。
【図３】他の実施例の定規を示し、（ａ）は側面図、（ｂ）は平面図、（ｃ）は正面図である。
【符号の説明】
【００１８】
１、２    直定規
３        ハトメ
α        頂角
【図１】
0003106092.tif 000003
【図２】
0003106092.tif 000004
【図３】
0003106092.tif 000005